(57)【特許請求の範囲】
【請求項１】
中間ラッチに配置され、投入する券種の印刷領域、投入不足券案内表領域、券種表示領域、受取券案内表示領域が設けられ、投入不足券案内表領域と券種表示領域とで投入不足の券種を表示し、券種表示領域と受取券案内表示領域とで受け取る券種を表示するようにした自動改札機と、
自動改札機の降車側前方に配置され、自動改札機の情報が転送されて券取り忘れ防止の注意を喚起するための表示器と、
を備えた自動改札機の券取り忘れ防止装置。
【発明の詳細な説明】
【０００１】
【発明の属する技術分野】
本発明は、在来線、新幹線等に設置する中間ラッチ（中間改札口）における乗車券の取り忘れを防止するための装置に関する。
【０００２】
【従来の技術及び発明が解決しようとする課題】
在来線や新幹線に設置される中間ラッチは、乗車券のほかに、特急券、指定券等の料金券の改集札を行うためのもので、従来、係員を配置して人手により改集札作業を行ってきたが、自動改札機の普及にともなって、中間ラッチにおいても、省力化等のために自動改札機を設置することが要請されている。なお、以下において、自動改札機は、改札と集札の両方の機能を有する自動改集札機、集札専用の自動集札機を含むものである。
【０００３】
しかし、中間ラッチに自動改札機を設置した場合、乗車時には特に問題は生じないものの、降車時には、中間ラッチに投入した乗車券を取り忘れることが起こり易い。中間ラッチで乗車券を取り忘れると、目的とする駅で出場できず、この場合に正常乗車なのか、不正乗車なのかの識別を行うことは最終駅では困難である。
本発明は上記課題を解決するためのもので、中間ラッチに自動改札機を設置した場合に、客に乗車券の取り忘れがないように注意を喚起して、乗車券の取り忘れ防止を図ることを目的とする。
【０００４】
【課題を解決するための手段】
本発明は、中間ラッチに配置され、投入する券種の印刷領域、投入不足券案内表領域、券種表示領域、受取券案内表示領域が設けられ、投入不足券案内表領域と券種表示領域とで投入不足の券種を表示し、券種表示領域と受取券案内表示領域とで受け取る券種を表示するようにした自動改札機と、自動改札機の降車側前方に配置され、自動改札機の情報が転送されて券取り忘れ防止の注意を喚起するための表示器とを備えたことを特徴とする。
【０００５】
【発明の実施の形態】
以下、図面を参照して本発明の実施の形態について説明する。
図１は本発明を説明するための概念図である。
本発明においては、新幹線ホームから在来線通路への出口、在来線の特急ホームから一般通路への連絡口の中間ラッチに設置された自動改札機１を出た前方の、視野に入り易い位置に乗車券取り忘れ防止の注意を喚起する表示器２を設置する。図２に示すように、自動改札機１と表示器２とは接続されていて、乗車券の取り忘れがあって自動改札機１の取出口にそのままになっていると、これが検知されてその情報が自動改札機１から表示器２に転送されてその旨の表示がなされるようになっている。
【０００６】
このような構成において、車内放送による乗車券取り忘れ防止案内、階段、エスカレータなど中間ラッチに至るまでの放送等による乗車券取り忘れ防止案内等を行うとともに、自動改札機１のトップカバーに注意表示を行い、必要に応じて改札要員を配置して乗車券取り忘れの防止案内を行い、さらに表示器２により乗車券の取り忘れがあったこと等を表示して注意を喚起する。
【０００７】
図３は表示器の設置位置を説明するための図で、図３（ａ）は平面図、図３（ｂ）は側面図である。図３に示すように、表示器２は自動改札機１の前方の適当な範囲、例えば１〜２ｍの位置で、人間の視線が行き易い場所、例えば図示したように旅客の下方の視野範囲や、あるいは旅客の上方の視野範囲の適宜の場所等を選択して注意表示を設置する。
【０００８】
図４は表示器の構成を示しており、図４（ａ）は平面図、図４（ｂ）は正面図、図４（ｃ）は側面図であり、図５は表示部の表示内容を示す図である。
図４に示すように、表示器２は、旅客の見やすい位置に表示部２ａが設けられるとともに、適当な位置に音声案内部２ｂが設けられ、表示と音声によって注意を喚起するようになっている。
【０００９】
表示部２ａにおける表示内容は、例えば、図５に示すように、取り忘れのない場合には、「ありがとうございました」のように表示し（図５（ａ））、取り忘れのあった場合には、「もどってきっぷをお取り下さい」のように表示する（図５（ｂ））。
【００１０】
次に、図６により本発明の自動改札機について説明する。
【００１１】
図６は自動改札機のトップカバーの平面図であり、入口側に券投入口１１が設けられ、「乗車券」、「特急券」のように投入する券種が領域１２、１３に印刷されている。領域１４、１５は投入不足券案内を表示するための領域で、券が投入されていない状態ではＬＥＤ又は背面照射で「乗車券を入れてください」、「特急券を入れてください」が表示される。領域１６、１７は券種表示領域で、ＬＥＤによる背面照射で「乗車券」、「特急券」が表示される。領域１８、１９は受取券案内表示領域で、ＬＥＤ又は背面照射で「乗車券をおとりください」、「特急券をおとりください」が表示される。なお、図６（ａ）では領域１４〜１９が表示状態になっていることを示している。２０は券取出口、２１は表示パネルである。
【００１２】
図６（ｂ）、図６（ｃ）は新幹線の中間ラッチに設置された場合の例で、図６（ｂ）は乗車時、乗車券、特急券が投入された状態を示しており、「乗車券」、「特急券」が表示されるとともに、「乗車券をおとりください」、「特急券をおとりください」が表示され、図６（ｃ）は降車時、「乗車券」が表示されるとともに、「乗車券をおとりください」が表示される。
【００１３】
図６（ｄ）は在来線の改集札口に設置された場合の例で、降車時、所定の乗車券が投入された場合である。
【００１４】
図６（ｅ）は券投入時、乗車券が投入されていない場合の表示例であり、「乗車券」、「乗車券を入れてください」が表示されている。
【００１５】
図６（ｃ）に示すように、自動改札機において乗車券の取り忘れの表示を行うことにより、旅客に対して注意を喚起することができる。
【００１６】
【発明の効果】
以上のように本発明によれば、中間ラッチの自動改札機前方の見やすい位置に設置された表示器により、乗車券を取り忘れた場合に、戻って取るように注意を促すことで、券の取り忘れ防止を図ることが可能となり、さらに、券取り忘れ防止の表示をした自動改札機と組み合わせることにより、一層、券の取り忘れ防止を徹底することができ、中間ラッチの自動改札化を図ることが可能となる。
【図面の簡単な説明】
【図１】  本発明を説明するための概念図である。
【図２】  自動改札機と表示器との接続を説明する図である。
【図３】  表示器の設置位置を説明するための図である。
【図４】  表示器の構成を示す図である。
【図５】  表示内容を説明する図である。
【図６】  自動改札機のトップカバーの平面図である。
【符号の説明】
１…自動改札機、２…表示器、１１…券投入口、１２，１３…券種印刷領域、１４，１５…投入不足券案内領域、１６，１７…券種表示領域、１８，１９…受取券案内表示領域、２０…券取出口、２１…表示パネル。
【図１】
0003802640.tif 000002
【図２】
0003802640.tif 000003
【図３】
0003802640.tif 000004
【図４】
0003802640.tif 000005
【図５】
0003802640.tif 000006
【図６】
0003802640.tif 000007